(57)【要約】【課題】攻撃的な地面にオフロード使用するようになっているタイヤを提供する。【解決手段】クラウンと、カーカス補強体（５）を備えた側壁部（２）により延長された２つのビード（４）とを備えたラジアルタイヤ（１）。前記カーカス補強体（５）はクラウンの中へ延びており、且つ各ビードにおいて周方向に伸長不可能である少なくとも１つの要素（４１）に固定されている。前記タイヤ（１）は周方向に対して傾斜された補強要素を備えたゴムで形成された補足補強体（６）を少なくとも１つの側壁部に備えており、下記の点を特徴としている。子午線方向横断面で見て、・補足補強体（６）は周方向に延びる少なくとも２つのストリップ（６１A、６１B、６１C、６１D、６２A、６２B、６２C、６２D）で構成された少なくとも１つの群（６１、６２）を備えており、・幅Liが補足補強体の合計子午線方向幅Ltを群におけるストリップの合計数で割った値に本質的に等しいか或いはそれより大きい各ストリップ（６１A、６１B、６１C、６１D、６２A、６２B、６２C、６２D）は３０°と９０°との間の角度αで傾斜された複数のケーブルまたはワイヤにより補強されたゴムで形成されており、・任意の１つの群内において、各周方向ストリップは隣接ストリップと部分的に重ね合わされている。【選択図】図６
2004533956.tif 000002
【特許請求の範囲】
【請求項１】
少なくとも２つのゴムプライ（３１、３２）よりなる補強体（３）により補強されたクラウンを備えており、前記ゴムプライが１つのプライから次のプライまで交差されたケーブルまたはワイヤで補強されており、前記ゴムプライの半径方向上には、地面と接触するようになっているトレッドが設けられており；また取付けリムのシートと接触するように設計された２つのビード（４）を備えており、各ビードが複数のケーブルまたはワイヤにより補強された少なくとも１つのゴムプライで構成された半径方向のカーカス補強体を備えた側壁部により延長されており、前記カーカス補強体がクラウンの中へ延びていて、各ビード（４）において周方向に伸長不可能である少なくとも１つの要素（４１）に固定されており；更に、周方向に対して傾斜されたゴム補強要素で構成された補足補強体（６）を少なくとも１つの側壁部（２）に備えているラジアルタイヤ（１）において、子午線横断面で見て、
・補足補強体（６）は各々が周方向に延びる少なくとも２つのストリップ（６１A、６１B、６１C、６１Dおよび６２A、６２B、６２C、６２D）で構成された少なくとも２つの群（６１、６２）を備えており、
・幅Liが補足補強体の合計の子午線方向幅Ltを群におけるストリップの合計数で割った値に本質的に等しいか或いはそれより大きい各ストリップ（６１A、６１B、６１C、６１D、６２A、６２B、６２C、６２D）は３０°と９０°との間の角度αで傾斜された複数のケーブルまたはワイヤにより補強されたゴムで形成されており、前記角度αは新タイヤにおいて周方向に対して測定したものであり、
・任意の１つの群内において、各周方向ストリップは、ストリップ間のギャップを回避するように隣接ストリップに部分的に重ねられている、
ことを特徴とするラジアルタイヤ（１）。
【請求項２】
各群間には、厚さが前記群を構成するストリップにおける補強体の平均直径に少なくとも等しい脱結合ゴム混合物が位置決めされていることを特徴とする請求項１に記載のラジアルタイヤ（１）。
【請求項３】
脱結合混合物の１０％伸びにおける引張り弾性率はストリップの補強体を被覆する混合物のものより高いことを特徴とする請求項２に記載のラジアルタイヤ（１）。
【請求項４】
脱結合混合物の１０％伸びにおける引張り弾性率はストリップの補強体を被覆する混合物のものより少なくとも３０％高いことを特徴とする請求項３に記載のラジアルタイヤ（１）。
【請求項５】
同一群におけるストリップの隣接ストリップとの部分重なりが前記ストリップの幅Liの多くとも４０％に等しいことを特徴とする請求項１ないし４のうちのいずれか１項に記載のラジアルタイヤ（１）。
【請求項６】
１つのストリップからビードからクラウンに向かう方向における進む次のストリップまで、前記ストリップにおける補強体の角度は漸次減少していることを特徴とする請求項１ないし５のうちのいずれか１項に記載のラジアルタイヤ（１）。
【請求項７】
１つのストリップからビードからクラウンに向かう方向における進む次のストリップまで、前記ストリップにおける補強体の角度は漸次増大していることを特徴とする請求項１ないし５のうちのいずれか１項に記載のラジアルタイヤ（１）。
【請求項８】
補足側壁部補強体（６）における各群は半径方向平面に対して同じ方向に傾斜されているケーブルまたはワイヤを備えており、補強体の群は1つの群から次の群まで交差された補強要素を有していることを特徴とする請求項１ないし７のうちのいずれか１項に記載のラジアルタイヤ（１）。
【請求項９】
所定の群内において、ストリップにおける補強体の傾斜角度は隣接ストリップにおける補強体の傾斜角度と反対の記号のものであることを特徴とする請求項１ないし５のうちのいずれか１項に記載のラジアルタイヤ（１）。
【請求項１０】
ストリップの補強体は織物性質のものであり、各ストリップにおいて前記ストリップの横縁部と反対の横縁部との間で３０°と９０°との間の平均角度で前後位置決め方法により位置決めされていることを特徴とする請求項１ないし９のうちのいずれか１項に記載のラジアルタイヤ（１）。
【請求項１１】
少なくとも１つの群が数回り巻かれた単一の連続ストリップから構成されていることを特徴とする請求項１ないし８のうちのいずれか１項に記載のラジアルタイヤ（１）。
【請求項１２】
補足補強体（６）は少なくとも１つの側壁部におけるカーカス補強体（５）の半径方向内側に配置されており、ゴム混合物層（７）が前記カーカス補強体（５）を前記補足補強体から分離しており、前記ゴム混合物層はカーカス補強体のゴム混合物層の１０％伸びにおける弾性率より低い１０％伸びにおける弾性率を有していることを特徴とする請求項１ないし８のうちのいずれか１項に記載のラジアルタイヤ（１）。
【発明の詳細な説明】
【技術分野】
【０００１】
本発明はタイヤの補強に関し、より詳細には、ラジアルカーカス補強体、すなわち、補強要素が回転軸線を含む半径方向平面にあるか、或いは前記半径方向平面と小さい角度を形成するカーカス補強体を有するタイヤの補強に関する。本発明はあらゆる種類のタイヤに当てはまるが、特に岩だらけの地面、石、より一般には粗いおよび攻撃的な地面におけるオフロード転動用に設計されたタイヤに当てはまる。
【背景技術】
【０００２】
先行技術から知られているように、ラジアルタイヤは取付けリムのシートおよびフランジと協働するように設計されたビードと呼ばれる領域を有しており、前記ビードは周方向における補強構造を備えており、この補強構造にカーカス補強体が固定されている。カーカス補強体の半径方向外側には、前記ビードの上方で使用のためにタイヤを加圧しているときに前記カーカス補強体のまわりに箍掛けための役割である少なくとも２つのプライよりなるクラウン補強体が配置されている。クラウン補強体の半径方向外側には、タイヤのパターンを構成する複数のレリーフを有するトレッドが位置決めされている。各ビードとクラウンの各軸方向端部との間には、転動中、多少の顕著な曲げを受けながら、前記ビードと前記クラウンとの機械的繋ぎを行う機能を有するタイヤの側壁部が延びている。
【０００３】
この曲げの結果、側壁部の湾曲の著しい変化と関連した実質的な変形が生じ、タイヤを多くの凸凹または障害物のある粗い地面に使用すると、力の組合せが側壁部の破断またはカーカス補強体の損傷をも生じる。この問題を解消するために、ケーブルで補強された少なくとも１つのゴムプライをタイヤの側壁部に付設することが提案されており、前記ケーブルは半径方向または子午線方向とゼロでない角度をなす。特許文献１は、各側壁部内およびカーカス補強体の内側に、前記側壁部の中間高さの各側で前記側壁部の半径方向高さの一部にわたって延びる補強体を付設することを提案している。しかしながら、この解決策は、非常に効果的であるが、側壁部の半径方向高さに関して、このタイヤにおいて補強体の所望の角度を得ることがしばしば困難であることはもとより、タイヤにおいて側壁部の変形に因り受ける可変湾曲を考慮しても、前記補強体が機械的抵抗に悪影響を及ぼす応力を受けると言う欠点を有している。
【０００４】
特許文献２は転動中、側壁部を攻撃に対して保護するように設計された少なくとも１つの補足補強体を側壁部に備えているタイヤ構造を提案しており、この補強体は周方向に配向された補強要素よりなる、ストリップの周方向における、巻き体により構成されており、この文献では、ストリップは子午線方向に縁部を向かい合わせて配置されている。この解決策は多くの製造上の問題を生じる。何故なら、周方向に配向された補強体をすでに成形されたタイヤ素材に位置決めすることを必要とするからである。
その結果、異なる地面上を転動するようになっているタイヤの補強を可能にする解決策、および前記専攻技術の技術的解決策の欠点を有していない解決策、詳細には、構成ドラムで製造される円環体状の素材の形態でタイヤを成形することを可能にする解決策の必要性がある。
【０００５】
特許文献３は重荷重を支持する（特に、土木工学車両に使用するための）タイヤ構造を述べており、このタイヤ構造においては、側壁部のうちの少なくとも１つが傾斜補強体を備えた１つまたはそれ以上の層よりなる補足補強体を有しており、１つの変形例では、各層が同じ層内で互いに分離している複数周方向ストリップよりなることが明記されている。
【０００６】
【特許文献１】
米国文献第3,464,477号
【特許文献２】
米国文献第5,078,192号
【特許文献３】
米国特許第4,438,796号
【発明の開示】
【発明が解決しようとする課題】
【０００７】
本発明の目的は、攻撃的な地面にオフロード使用するようになっているタイヤを提供することである。
【課題を解決するための手段】
【０００８】
攻撃的な地面にオフロード使用するようになっている本発明によるタイヤは、少なくとも２つのゴムプライよりなる補強体により補強されたクラウンを備えており、前記ゴムプライが１つのプライから次のプライまで交差されたケーブルまたはワイヤで補強されており、前記ゴムプライの上には、地面と接触するようになっているトレッドが半径方向に設けられており、また取付けリムのシートと接触するように設計された２つのビードを備えており、各ビードが複数のケーブルまたはワイヤにより補強された少なくとも１つのゴムプライで構成された半径方向のカーカス補強体を備えた側壁部により延長されており、前記カーカス補強体は各ビードに固定されていて、クラウンの中へ延びている。前記タイヤは周方向に対して傾斜されたゴム補強要素で構成された補足補強体を少なくとも１つの側壁部に備えている。このタイヤは下記の点を特徴としている。
―  補足側壁補強体は各々が周方向に延びる少なくとも２つのストリップで構成される少なくとも２つの群よりなり、
―  Liが補足補強体の合計の子午線方向幅を群におけるストリップの合計数で割った値に本質的に等しいか或いはそれより大きい各ストリップは３０°と９０°との間の角度αで傾斜された複数のケーブルまたはワイヤにより補強されたゴムで形成されており、この角度は新タイヤにおいて周方向に対して測定したものであり、
―  所定の群内において、各ストリップは、任意の２つの次々のストリップ間の空間でストリップ同士の接触不足を回避するように隣接ストリップに部分的に重ねられている。
群内で他のストリップに隣接したストリップとは、ストリップ同士の重なりがある他方のストリップに属するストリップを意味している。
【０００９】
所定群の各ストリップBiは前記群においてこのストリップに隣接したストリップに部分重なりにより結合されてタイヤの外側から内方へのタイヤのゴム混合物の可能な破断のいずれの伝播に対しての無ギャップのスクリーンを構成している。
好ましくは、１つの群におけるストリップの、同群における各隣接ストリップと重なっている領域の幅は、側壁部における過剰の厚さを制限しながら、最適の結合が得られるように多くとも前記ストリップ幅の４０％に等しい。
補足補強体の合計幅Ltは新タイヤにおいて前記補強体の内側で半径方向に最も遠い点と前記補強体の外側で半径方向に最も遠い点との間でタイヤの回転軸線を含む断面平面において得られた子午線方向輪郭に沿って測定したものである。
補足補強体がタイヤの側壁部を保護する効能を更に高めるために、前記群を互いに間隔を隔てるゴム混合物部分が各群間に存在するようにすることが最良であり、好ましくは、この部分を構成するゴム混合物の１０％伸びにおける弾性率は群を構成するストリップのゴム混合物の１０％伸びにおける弾性率より４０％高い。
周方向ストリップの補強体の平均直径より本質的に大きい厚さを有する群間のゴム混合物部分により、攻撃に対する性能が良好になる。
【００１０】
更に、より大きい側壁部の剛性を得、且つカーカス補強体と補足補強体との凝集損失の恐れを回避するために、前記カーカス補強体と補足補強体との間に脱結合するゴム混合物層を存在させることが最良である。この混合物は好ましくはカーカス補強体用に使用される混合物の１０％伸びにおける弾性率より低い１０％伸びにおける弾性率を有するように選択される。
このタイヤ構造に関連してこのようなタイヤを製造する方法を提案する。この方法によれば、互いに本質的に平行で且つストリップの長さ方向と３０°と９０°との間の平均角度をなす補強要素で補強されたゴム混合物で構成された２つのストリップを作成した後、これらのストリップを前記タイヤ側壁部のうちの１つに対応するタイヤ素材の部分に巻きつけにより位置決めする。この方法はドラムにおいてタイヤを構成し、その後、成形して本質的に円環体状形状を与える間、または成形段階が必要とされないようにコア上でタイヤを直接構成する間に実施することができる。
【発明を実施するための最良の形態】
【００１１】
図１はタイヤ側壁部の補強用の補足の補強体を構成する本質的に等しい幅L1、L2、L3を有する３つのストリップB１、B２、B３の群G1の第１実施例を示している。この場合、幅L1、L2、L3は群G1の合計幅Ltの3分の１より大きい。ここでは、群G1はタイヤへの組込み前の円筒形構成型上に示されている。
群における各ストリップB１、B２、B３は、群G1全体にわたって互いに平行に配置されて本例の場合、４５°に本質的に等しい傾斜角度α１、α２、α３をなす複数の金属ケーブル１１、１２、１３よりなる（前記角度は図面に矢印Xで示す周方向に対して測定したものである）。ストリップB1は、(図１では図面の平面における方向に対応し、Xで示す方向と直角である)その半径方向延長において第２ストリップB2に部分的に連結されており、第２ストリップB2は第３ストリップB３にこれらのストリップの幅の多くとも４０％に等しい適切な幅にわたる重なりにより連結されている。語「適切な」は、タイヤ素材を成形したときにストリップB１、B２、B３がまだ重なっているようにするのに十分な重なり幅を意味している。
【００１２】
図２はタイヤ素材の成形前の群を示している図1の線II-IIに沿った断面図である。ストリップB３はストリップB２を部分的に覆っており、ストリップB２はストリップB１の上面を覆っている。
【００１３】
図３は３つのストリップB１、B４、B３の群G2の変更実施例を示しており、ストリップB1、B３は図１に示す群G１に使用したものと同じであり、中間のストリップB４は群G１で使用したストリップB２と同じ補強体１２をよりなるが、この場合、補強体１２はストリップB１、B３の補強体１１、１３の角度α１、α３と同じモジュールだが反対の記号の角度α４で傾斜されている。しかも、図３の線IV−IVに沿った断面を示す図４でわかるように、中間ストリップB４はその端部でその幅方向において本質的に等しい重なり幅で２つのストリップB１、B３に重なっている。ここでは、３つのストリップB１、B４、B３の幅は同じであるが、異なることもできる。
【００１４】
図１ないし図４に示す例では、ストリップすべてにおける補強体の角度は少なくともそれらのモジュールにおいて本質的に等しいが、もちろん、いくつかの、例えば、３つのストリップの群を構成することも可能であり、各ストリップにおける補強体の傾斜角度α１、α２、α３は異なる。この場合、前記角度が下記の関係を満足することが有利である。
α１＞α２＞α３
この式において、角度α１は周方向に対するタイヤのビード帯域に最も近くに位置決めされたストリップにおける補強体の角度であり、角度α３はクラウン補強体に最も近くに位置決めされたストリップにおける補強体の角度であり、角度α２は中間ストリップにおける補強体の角度である。
【００１５】
各群を構成するストリップにおける補強体の角度がビード帯域の近いストリップからタイヤのクラウンに近いストリップに向けて漸次増大していると言う解決策は同等に可能であるが、同じ利点をもたらさない。
各ストリップにおける補強体の角度について述べたことは各ストリップ幅についても当てはまり、本連は同じ幅のストリップを示しているが、もちろん、ストリップによっては且つ／或いは群によっては異なる幅を与えることの可能であり、また異なる重なり幅を有することも可能である。
【００１６】
図５の実施例は好ましくは織物ケーブル３を２つの縁部３１、３２間で前後に配置することにより構成されて３０°と９０°との間の平均傾斜角度αで配置されたストリップBの場合を示しており、前記傾斜角度は(図５に矢印Xで示す)ストリップの長さ方向に対して測定したものである。
【００１７】
図６はサイズ２６．５R２５のタイヤ１の一部の子午線平面における横断面を示しており、この図では、前記タイヤの転動中、地面に接触するようになっているトレッドを備えたクラウン３と、取付けリムのシートと接触するようになっているビード４との間に延びる側壁部２が見られる。
このタイヤは１つのビードから他のビードまで延びているカーカス補強体５を備えており、この補強体５は２４５ｍｍに等しい高さHrの折返し部５１を構成するように各ビードに存在する周方向補強ビードワイヤ４１のまわりにおける折返しにより固定されており、前記高さはビードワイヤの基部(前記ビードワイヤの内径)に対して半径方向に測定したものである。カーカス補強体５は、半径方向に配置され、すなわち、周方向に対して９０°に近い或いは等しい角度をなす金属ケーブルで補強されたゴム混合物製プライで構成されている。
【００１８】
カーカス補強体５の半径方向外側において、クラウン補強体３は各々において互いに平行な金属補強要素により補強されたゴム混合物よりなる２つのプライ３１、３２よりなり、前記金属補強要素は１つのプライから次のプライまで交差されている（各プライにおいて前記補強体は周方向と２４°の平均角度をなしている）クラウンの軸方向端部のカーカス補強体への投影Sはビードワイヤの基部から４３５ｍｍに等しい距離Hsのところの半径方向に位置決めされている（前記投影はカーカス補強体５の輪郭と直角になっている）。
更に、カーカス補強体の軸方向内側において、各側壁部２は２つの群６１、６２で構成された補足補強体６を有しており、各補足補強体６は子午線方向全長Ltにわたって軸方向に最も外側である側壁部の点Pのいずれの側においても高さH１と高さH２との間で延びている（これらの高さはビードワイヤ４１の基部に対して測定したものである）。
【００１９】
H１がHr未満であり、また比H２／Hｓが０．６と０．９との間であることが有利であるとわかった。この場合、H１＝２２０ｍｍ、H２＝３４７ｍｍである。
各群６１、６２は幾つかのストリップ６１A、６１B、６１C、６１Dおよび６２A、６２B、６２C、６２Dで構成されており、これらのストリップはすべて子午線方向横断面で見て４０ｍｍの幅を有しており、図７でわかるように１０ｍｍの平均幅にわたって互いに重ねられている。群６１の各ストリップ６１A、６１B、６１C、６１Dは各ストリップ内で互いに平行であるナイロン補強要素６１１により補強されたゴム混合物で形成されている。
群６２の各ストリップ６２A、６２B、６２C、６２Dは各ストリップ内で互いに平行であるナイロン補強要素６１２により補強されたゴム混合物で形成されている。タイヤ素材の状態において、ストリップすべてにおける補強要素は８０°に等しい平均角度をなしており、円環体が成形されると、ビードに半径方向に最も近いストリップにおける補強体の平均角度は７５°であり、クラウンに半径方向に最も近いストリップにおける補強体の平均角度は６５°である。
【００２０】
所定群におけるストリップの補強体は周方向に対して同じ方向の傾斜を有する。１つの群から他の群まで、補強体の傾斜は反対の記号のものである。群間のゴム混合物８は前記群間の脱結合作用を改良し、より正確には、ゴム混合物はストリップの補強体を被覆するゴム混合物の１０％、好ましくは少なくとも３０％の引張り弾性率より高い１０％変形における引張り弾性率を有し（この場合、弾性率の比は１．４に等しく、平均厚さは２ｍｍであり、ストリップ補強体の平均直径は1ｍｍである）。
本例では、群を構成するストリップの補強体の角度の値は同じであるが、もちろん、異なる角度を使用することも可能である。
【００２１】
カーカス補強体５と補足側壁部補強体６との間には、５ｍｍの平均厚さおよびカーカス補強混合物の弾性率より４０％低い１０％の伸びにおける弾性率を有するゴム混合物の層７が設けられている。
このようなタイヤを製造するために、手順は下記の如くである。
―  タイヤ素材用の構成ドラムに内部ゴム混合物を位置決めする；
―  ストリップをその長さ方向に対して適切な角度だけ傾斜された補強要素で補強されたゴム混合物から作成する；
―  先行段階で得たストリップを内部ゴム混合物への巻き付けにより位置決めして群の全幅を生じるように適切な数の巻き体を構成し、前記ストリップの各巻き体を前の巻き体に部分的に重ねる；
―  各他の群における補強体の角度の配向を考慮に入れて他の群を構成するのに必要な回数、前段階を繰り返す；
―  カーカス補強体および他の必要な構成を位置決めする；
―  クラウン補強体およびトレッドを位置決めする前にこの初めの素材を成形して円環体状形状を得る；
―  そのように生じた素材を成形し、加硫する。
種々の群を生じる段階の間において、前記群間の脱結合機能を有する厚さのゴム混合物を巻き付けにより位置決めする。
【００２２】
この方法は、いずれの成形も必要としないタイヤ素材を作る場合、特に本質的に成形すべきタイヤの内側の形状を有するコア上に素材を作る場合に省略することができる。後者の場合、内部混合物をコアに位置決めした後、単一のストリップを複数回りで巻きつけることによって、或いは各々が本質的に1回りの長さを有する複数のストリップを巻きつけることによって各群をこれらの内部混合物上に位置決めする（後者の場合、転動中、不規則を生じる大きな濃度を回避するように周のまわり全体に各ストリップの始点を規則正しく分布するのが有利である）。
本発明は説明して示した例に限定されなく、本発明の範囲を超えることなしに種々の変更例を採用することができる。
【図面の簡単な説明】
【００２３】
【図１】本発明による補足側壁部補強体の第１具体例を構成するストリップの群の平面図である。
【図２】図１の線II−IIに沿った横断面図である。
【図３】本発明による補足側壁部補強体の第２具体例を構成するストリップの変更群の平面図である。
【図４】図３の線IV−IVに沿った横断面図である。
【図５】織物ケーブルを備えたストリップの変更実施例を示す図である。
【図６】本発明によるストリップの２つの群で構成された側壁部用の補足補強体をカーカス補強体の内側に備えた土木工学車両用のタイヤの子午線方向断面図である。
【図７】図６に示す補足タイヤ補強体を構成するストリップの２つの群の重さなり図（タイヤの位置決め前）の平らな横断面である。
【国際公開パンフレット】
2004533956.tif 000003
2004533956.tif 000004
2004533956.tif 000005
2004533956.tif 000006
2004533956.tif 000007
2004533956.tif 000008
2004533956.tif 000009
2004533956.tif 000010
2004533956.tif 000011
2004533956.tif 000012
2004533956.tif 000013
2004533956.tif 000014
2004533956.tif 000015
2004533956.tif 000016
2004533956.tif 000017
2004533956.tif 000018
【国際調査報告】
2004533956.tif 000019
2004533956.tif 000020
2004533956.tif 000021
2004533956.tif 000022